(57)【要約】      （修正有）【課題】ストラップを通して子供の額に締めることによって、子供の体が大幅に寝返りすることを避け、効率よく冷却を達成することができる子供用枕を提供する。【解決手段】子供用枕は枕カバーおよび枕カバー内部の中身を含み、枕カバーの底部の両側に近い位置には第一面ファスナーが設置してあり、第一面ファスナーの間にストラップ２が配置してあり、ストラップの底部に第一面ファスナーと合わせた第二面ファスナーがあり、ストラップは枕カバーの上にあり、ストラップの中部に冷却袋３があり、冷却袋の中部にはくぼんだノッチ３０１があり、ノッチの底部にベント３１１と防水フィルムが設置してあり、防水フィルムはベントを密閉する。【選択図】図１
0003202210.tif 000002
【実用新案登録請求の範囲】
【請求項１】
子供用枕において、この枕は枕カバーおよび枕カバー内部の中身を含み、その枕カバーの底部の両側に近い位置には第一ベルクロが設置してあり、両側の第一ベルクロの間にストラップが配置してあり、そのストラップの底部に第一ベルクロと合わせた第二ベルクロがあり、そのストラップはその枕カバーの上にあり、そのストラップの中部に冷却袋があり、その冷却袋の中部にはくぼんだノッチがあり、そのノッチの底部にベントが設置してあり、そのノッチの底部に防水フィルムが設置してあり、その防水フィルムはそのベントを密閉することを特徴とする子供用枕。
【請求項２】
請求項１に記載の子供用枕において、その枕カバーの底部の左に近い位置には枕の中身を入れる用の貫通溝があることを特徴とする子供用枕。
【請求項３】
請求項１に記載の子供用枕において、その枕カバーの外の四隅はアーチ形であることを特徴とする子供用枕。
【請求項４】
請求項１に記載の子供用枕において、その枕カバーの上表面の中部に肩位置決め溝、ネック位置決め溝とヘッド位置決め溝が設置されてあることを特徴とする子供用枕。
【請求項５】
請求項１に記載の子供用枕において、そのネック位置決め溝の深さはヘッド位置決め溝と肩位置決め溝の深さより小さいことを特徴とする子供用枕。
【考案の詳細な説明】
【技術分野】
【０００１】
本実用新型は子供用枕に関連する。
【背景技術】
【０００２】
子供用枕の設計寸法はほとんど小さい、そして機能が単一であり、子供の早い成長期に、悪い眠る姿勢は発育不足に繋がる可能性がある、したがって、既存の技術では枕は実際の需要に満足できない
【考案の概要】
【考案が解決しようとする課題】
【０００３】
本実用新型は解決する必要な問題は子供用の枕を提供する。この装置はストラップを通して子供の額に締めることによって、子供の体が大幅に変位または寝返りを避けると同時に、子供の体が熱くになる時、冷却袋とアイスを合わせて物理的な冷却を達成することができ、使用ニーズを満足する。
【課題を解決するための手段】
【０００４】
以上の問題を解決するために、以下の技術案を採用する。一種の子供用枕、枕カバーおよび枕カバー内部の中身を含め、その枕カバーの底部が両側に近い位置には第一ベルクロを設置してあり、両側の第一ベルクロの間にストラップを配置してあり、そのストラップの底部に第一ベルクロと合わせた第二ベルクロがあり、そのストラップはその枕カバーの上にあり、そのストラップの中部に冷却袋があり、その冷却袋の中部にはくぼんだノッチがあり、そのノッチの底部にベントを設置してあり、そのノッチの底部に防水フィルムを設置してあり、その防水フィルムはそのベントを密閉する。
【０００５】
優秀な技術案として、その枕カバーの底部が左に近い位置には枕の中身を入れる用の貫通溝がある。
【０００６】
優秀な技術案として、その枕カバーの外の四隅はアーチ形である。
【０００７】
優秀な技術案として、その枕カバーの上表面の中部に肩位置決め溝、ネック位置決め溝とヘッド位置決め溝を設置してある。
【０００８】
優秀な技術案として、そのネック位置決め溝の深さはヘッド位置決め溝と肩位置決め溝の深さより小さい。
【考案の効果】
【０００９】
本実用新型の有益な効果は、この装置はストラップを通して子供の額に締めることによって、子供の体が大幅に変位または寝返りを避けると同時に、子供の体が熱くになる時、冷却袋とアイスを合わせて物理的な冷却を達成することができ、使用ニーズを満足する。この装置の構造は簡単で、コストが低い、普及することに相応しい。
【図面の簡単な説明】
【００１０】
【図１】本実用新型の俯瞰図である。
【図２】サポートロッド下面図である。
【考案を実施するための形態】
【００１１】
これから附図をあわせて本実用新型の優秀な実施例に対して詳しく紹介する、本実用新型のメリットと特徴はこの分野の技術者にもっと簡単に理解されるから、本実用新型の保護範囲をより明白ではっきりに定義できる。
【００１２】
図面１と図面2に示された子供用枕を参考してください。この枕は枕カバー1および枕カバー1内部の中身（図面で示されない）を含め、その枕カバー1の底部が両側に近い位置には第一ベルクロ101を設置してあり、両側の第一ベルクロ101の間にストラップ2を配置してあり、そのストラップ2の底部に第一ベルクロ101と合わせた第二ベルクロ102があり、そのストラップ2はその枕カバー1の上にあり、そのストラップ2の中部に冷却袋3があり、その冷却袋3の中部にはくぼんだノッチ301があり、そのノッチ301の底部にベント311を設置してあり、そのノッチ301の底部に防水フィルム（示されない）を設置してあり、その防水フィルムはそのベント311を密閉する。
【００１３】
本実用新型の好ましい実施例として、その枕カバー1の底部が左に近い位置には枕の中身を入れる用の貫通溝111がある。
【００１４】
本実用新型の好ましい実施例として、その枕カバー1の外の四隅はアーチ形である。
【００１５】
本実用新型の好ましい実施例として、その枕カバー1の上表面の中部に肩位置決め溝121、ネック位置決め溝131とヘッド位置決め溝141を設置してある。
【００１６】
本実用新型の好ましい実施例として、そのネック位置決め溝131の深さはヘッド位置決め溝141と肩位置決め溝121の深さより小さい。
【００１７】
本実用新型の有益な効果は、この装置はストラップを通して子供の額に締めることによって、子供の体が大幅に変位または寝返りを避けると同時に、子供の体が熱くになる時、冷却袋とアイスを合わせて物理的な冷却を達成することができ、使用ニーズを満足する。この装置の構造は簡単で、コストが低い、普及することに相応しい。
【００１８】
以上は本実用新型の基本原理、主な特徴と本実用新型のメリットを示し説明した 。この分野の技術者は分かるべきところは、本実用新型上記実施例からの制限なし、上記実施例と説明書が叙述するのはただ本実用新型の原理で、本実用新型の精神と範囲を離せない前提の下で、本実用新型は引き続き変化と改善がある、これらの変化と改善は保護された本実用新型範囲以内に属する。本実用新型の必要な保護範囲は別紙の権利要求書で定義する。
【符号の説明】
【００１９】
1  枕カバー
2  ストラップ
3  冷却袋
101  第一ベルクロ
301  ノッチ
311  ベント
【図１】
0003202210.tif 000003
【図２】
0003202210.tif 000004
【手続補正書】
【提出日】平成27年11月25日(2015.11.25)
【手続補正１】
【補正対象書類名】実用新案登録請求の範囲
【補正対象項目名】請求項１
【補正方法】変更
【補正の内容】
【請求項１】
子供用枕において、この枕は枕カバーおよび枕カバー内部の中身を含み、その枕カバーの底部の両側に近い位置には第一面ファスナーが設置してあり、両側の第一面ファスナーの間にストラップが配置してあり、そのストラップの底部に第一面ファスナーと合わせた第二面ファスナーがあり、そのストラップはその枕カバーの上にあり、そのストラップの中部に冷却袋があり、その冷却袋の中部にはくぼんだノッチがあり、そのノッチの底部にベントが設置してあり、そのノッチの底部に防水フィルムが設置してあり、その防水フィルムはそのベントを密閉することを特徴とする子供用枕。
【手続補正２】
【補正対象書類名】実用新案登録請求の範囲
【補正対象項目名】請求項５
【補正方法】変更
【補正の内容】
【請求項５】
請求項４に記載の子供用枕において、そのネック位置決め溝の深さはヘッド位置決め溝と肩位置決め溝の深さより小さいことを特徴とする子供用枕。